(57)【要約】      （修正有）【課題】ＧＵＩに表示された異なるファイルに複数の動作を実行する方法および装置を提供する。【解決手段】あらかじめ定義されたキーの組み合わせに、「削除」、「コピー」、「移動」等の特定の動作が割り当てられる。第１のキーの組み合わせを作動すると、マウスなどのポインティング・デバイスを使用して１つまたは複数のファイルを選択する。選択されたファイルは色分けされ、選択されたファイルに第１の動作が行われることを表す。次いで第２のキーの組み合わせを作動し、他の選択したファイルに第２の動作を割り当てる。選択されたすべてのファイルについて選択された動作が正しいことを確かめた後、「Ｅｎｔｅｒ」キーあるいは同様のキーを押下することによりそれらの動作を実行する。動作を実行する前に異なるファイルに対する異なる動作を見て確認することにより、選択されたすべてのファイルに適用しようとするすべての動作の概要を確認できる。【選択図】図３
2005202966.tif 000002
【特許請求の範囲】
【請求項１】
グラフィカル・ユーザ・インタフェースに表示された異なるファイルに複数の動作を同時に実行する方法であって、
複数の入力それぞれに異なる動作を関連付けるステップと、
異なる動作それぞれに、識別可能な視覚的な表示の特徴を関連付けるステップと、
複数の入力から選択した第１の入力を確定した後に、グラフィカル・ユーザ・インタフェース（ＧＵＩ）上で第１のファイルについての第１のファイル表示を選択するステップであって、前記第１のファイルに対して前記第１の入力に関連付けられた第１の動作が選択され、前記第１のファイル表示に前記第１の動作に関連付けられた第１の識別可能な視覚的特徴が適用されるステップと、
複数の入力から選択された第２の入力を確定した後に、ＧＵＩ上で第２のファイルについての第２のファイル表示を選択するステップであって、前記第２のファイルに対して前記第２の入力に関連付けられた第２の動作が選択され、前記第２のファイル表示に前記第２の動作に関連付けられた第２の識別可能な視覚的特徴が適用されるステップと、
その後、前記第１のファイルおよび第２のファイルにそれぞれ前記第１の動作と第２の動作を同時に実行するステップと
を含む方法。
【請求項２】
前記各動作は、入力の組み合わせを確定することによって選択される請求項１に記載の方法。
【請求項３】
前記識別可能な視覚的特徴は色分けされている請求項１に記載の方法。
【請求項４】
前記識別可能な視覚的特徴は幾何学的パターンである請求項１に記載の方法。
【請求項５】
前記複数の入力は、ＧＵＩ上で選択可能なアイコンである請求項１に記載の方法。
【請求項６】
コンピュータから機密性のあるファイルを除去する方法であって、
コンピュータ上の複数の機密性のあるファイルを識別するステップと、
識別性のある視覚的特徴で、識別された機密性のあるファイルすべてを強調表示するステップと、
前記識別された機密性のあるファイルを削除するステップと、
前記削除された機密性のあるファイルを記憶していた、コンピュータに関連付けられたディスク・ドライブの領域のみを再フォーマットするステップと
を含む方法。
【請求項７】
所定期間よりも前に最後に編集された機密性のあるファイルだけが削除される請求項６に記載の方法。
【請求項８】
グラフィカル・ユーザ・インタフェースに表示された異なるファイルに複数の動作を同時に実行するコンピュータ・システムであって、
複数のファイルを表示するモニタと、
前記複数のファイルの１つまたは複数に適用される異なる動作にそれぞれが関連付けられた複数の入力であって、異なる動作はそれぞれ、表示されたファイルに適用される識別可能な視覚的表示に関連付けられる入力と、
前記モニタに表示されたポインタを操作する入力装置であって、第１の動作に関連付けられた第１の入力が確定された後に、第１のファイルに関連付けられた第１のファイル表示を入力装置が選択し、前記第１の動作に関連付けられた第１の識別可能な視覚的特徴が前記第１のファイル表示に適用され、かつ、第２の動作に関連付けられた第２の入力が確定された後に、第２のファイルに関連付けられた第２のファイル表示を入力装置が選択し、前記第２の動作に関連付けられた第２の識別可能な視覚的特徴が前記第２のファイル表示に適用されるように、ポインタを操作する入力装置と、
その後、前記第１のファイルと第２のファイルにそれぞれ前記第１の動作と第２の動作を同時に実行する実行装置と
を備えるコンピュータ・システム。
【請求項９】
前記各動作は、入力の組み合わせを確定することによって選択される請求項８に記載のコンピュータ・システム。
【請求項１０】
前記識別可能な視覚的特徴は色分けされている請求項８に記載のコンピュータ・システム。
【請求項１１】
前記識別可能な視覚的特徴は幾何学的パターンである請求項８に記載のコンピュータ・システム。
【請求項１２】
前記複数の入力は、グラフィカル・ユーザ・インタフェース（ＧＵＩ）上で選択可能なアイコンである請求項８に記載のコンピュータ・システム。
【請求項１３】
前記第１のファイルと第２のファイルはともに、削除するために選択された機密性のあるファイルである請求項８に記載のコンピュータ・システム。
【請求項１４】
前記コンピュータ・システムは、前記機密性のあるファイルを記憶するハード・ディスクを備え、
前記機密性のあるファイルは、機密性のあるファイルを記憶していた前記ハード・ディスクの領域だけを再フォーマットすることにより、前記ハード・ディスクから消去される請求項１３に記載のコンピュータ・システム。
【請求項１５】
コンピュータに、グラフィカル・ユーザ・インタフェースに表示された異なるファイルに複数の動作を同時に実行させる、コンピュータ・プログラムであって、
複数の入力それぞれに異なる動作を関連付けるコンピュータ・プログラム・コードと、
前記異なる動作それぞれに、識別可能な視覚的な表示の特徴を関連付けるコンピュータ・プログラム・コードと、
前記複数の入力から選択した第１の入力を確定した後に、グラフィカル・ユーザ・インタフェース（ＧＵＩ）上で第１のファイルについての第１のファイル表示を選択するコンピュータ・プログラム・コードであって、前記第１のファイルに対して前記第１の入力に関連付けられた第１の動作が選択され、前記第１のファイル表示に前記第１の動作に関連付けられた第１の識別可能な視覚的特徴が適用されるコンピュータ・プログラム・コードと、
前記複数の入力から選択された第２の入力を確約した後に、ＧＵＩ上で第２のファイルについての第２のファイル表示を選択するコンピュータ・プログラム・コードであって、前記第２のファイルに対して前記第２の入力に関連付けられた第２の動作が選択され、前記第２のファイル表示に前記第２の動作に関連付けられた第２の識別可能な視覚的特徴が適用されるコンピュータ・プログラム・コードと、
その後、前記第１のファイルおよび第２のファイルにそれぞれ前記第１の動作と第２の動作を同時に実行するコンピュータ・プログラム・コードと
を備えるコンピュータ・プログラム。
【請求項１６】
前記各動作は、入力の組み合わせを確定することによって選択される請求項１５に記載のコンピュータ・プログラム。
【請求項１７】
前記識別可能な視覚的特徴は色分けされている請求項１５に記載のコンピュータ・プログラム。
【請求項１８】
前記識別可能な視覚的特徴は幾何学的パターンである請求項１５に記載のコンピュータ・プログラム。
【請求項１９】
前記第１のファイルと第２のファイルはともに、削除するために選択された機密性のあるファイルである請求項１５に記載のコンピュータ・プログラム。
【請求項２０】
前記複数の入力は、ＧＵＩ上で選択可能なアイコンである請求項１５に記載のコンピュータ・プログラム。
【発明の詳細な説明】
【技術分野】
【０００１】
本発明は、一般にはコンピュータの分野に関し、詳細にはファイル・システムに関する。さらに詳細には、本発明は、第１の暫定的な段階で異なるファイルに複数の動作を同時に適用し、最終的な実行段階でその動作を実行する方法および装置に関する。
【背景技術】
【０００２】
コンピュータ・システムは、しばしば、グラフィカル・ユーザ・インタフェース（ＧＵＩ）で列あるいはツリー形式で複数のファイルを表示する。例えば、図１に、ファイル番号、それらのファイルが最後に変更された日付、およびそれぞれのタイトルの一覧を含む従来技術のＧＵＩ１００を示す。コピー、移動、削除など、特定のファイルを操作する場合は、ファイル番号「７８２９」などの特定のファイルにフォーカス領域１０２を適用する。フォーカス領域１０２を適用すると、ユーザは次いで、フォーカス領域１０２を「右クリック」または「ダブル・クリック」してドロップダウン・ウィンドウあるいはポップ・ウィンドウ１０４を表示させ、選択されたファイルに適用できる動作の一覧を得ることができる。ユーザは次いで、ポインタ１０６の位置を操作して特定の動作（「削除する」など）の上に載せる。ユーザが希望する動作（「削除する」）を「左クリック」すると、一般には、警告プロンプト（図示せず）が表示され、本当にその動作を行いたいのかどうかをユーザに尋ねる。ユーザが「Ｙｅｓ」ボタンをクリックすると、その動作が直ちに行われ、多くの場合その動作は取り消すことができない。
【発明の開示】
【発明が解決しようとする課題】
【０００３】
図１に示す方法およびシステムにはいくつかの欠点がある。第１に、ユーザは、一度に１つの機能しか行うことができない。すなわち、一般には複数のファイルにフォーカスを適用しながら「Ｃｏｎｔｒｏｌ」キーまたは「Ｓｈｉｆｔ」キーを押し続けることにより、複数のファイルを選択することができるが、選択されたすべてのファイルには１つの機能しか適用することができない。
【０００４】
２番目の欠点は、複数ファイルからなるグループを異なるカテゴリに割り当てることができない点である。具体的には、従来技術では、ユーザは、複数のオブジェクト（ファイル）を単一カテゴリの機能（「削除」などの動作）に適用することを要求されるが、異なるオブジェクトに複数のカテゴリを適用することはできない。したがって、従来技術のＧＵＩ１００で強調表示されたすべてのファイルには、同じ機能が適用されることになる。
【０００５】
第３の欠点は、一旦動作を選択してしまうと、多くの場合その動作は不可逆であることである。例えば、ユーザが選択したファイルに対して「削除」のコマンドをクリックしてしまうと、ユーザが「ごみ箱」ファイルまたは同様のファイル・ストレージにアクセスできない限り、プロンプトの後、その動作が最終的なものになる。「移動」や「名前の変更」などの他の動作も不可逆であり、その動作を「取り消す」ために利用できるリソースはない。
【０００６】
第４の欠点は、従来技術で教示されるＧＵＩに表示された機能が、一般には、以前にアクティブであったウィンドウでの動作を「記憶」していないことである。例えば、図１で表示されたファイル「００３７」、「０１８７」、および「７８２９」が、「Ｍａｉｎ」という名前のメイン・ファイルの下位ルートである「Ｓｕｂ１」内のファイルであるとする。「Ｓｕｂ２」にフォーカスを適用すると、「Ｓｕｂ２」中のファイルが表示される（図示せず）が、ファイル「７８２９」に対するフォーカスは直ちに失われる。そのため、異なる下位ルートのファイルを削除などの動作のために選択する場合は、次の下位ルートのファイルを処理する前に、各下位ルートのファイルを選択し、削除しなければならない。
【０００７】
したがって、上記の機能では、ユーザは、適用しようとする機能に従ってファイルを異なるグループに分類してから、すべてのファイルに行う動作の概要を調べ、得ることができない。すなわち、図１の従来技術では、ファイル「０１８７」をコピーするために選択し、ファイル「７８２９」を電子メール・アドレスなどの別の場所に送信するために同時に選択しながら、ファイル「００３７」を削除するために準備暫定的に選択することは許されない。実際に動作を実行する前の、すべてのファイルとユーザがそれらのファイルに計画している動作のそのような視覚的表現があれば、表示されたファイルとそのファイルの最終的な目的を計画する際に有用であると思われる。
【０００８】
したがって、必要とされるのは、ユーザを使用して、複数のファイルに行われる異なる動作に従ってそれらのファイルを視覚的に特徴付ける方法およびシステムである。この視覚的な特徴付けは、すべての選択されたファイルに対してすべての選択された動作を同時に実行するための最終的なコマンドが発生されるまで変化しないことが好ましい。
【課題を解決するための手段】
【０００９】
したがって、本発明は、グラフィカル・ユーザ・インタフェースに表示された異なるファイルに複数の動作を実行する方法および装置を対象とする。あらかじめ定義されたキーの組み合わせに、「削除」、「コピー」、「移動」などの特定の動作が割り当てられる。第１のキーの組み合わせを確定すると、マウスなどのポインティング・デバイスを使用して１つまたは複数のファイルを選択する。選択されたファイルは色分けされ、それら選択されたファイルに行われる第１の動作を示す。次いで、第２のキーの組み合わせを確定し、他の選択されたファイルに第２の動作を割り当てる。選択されたファイルすべてについて選択された動作が正しいことを確かめると、ユーザは次いで、「Ｅｎｔｅｒ」あるいは同様のキーを押下することによりそれらの動作を実行する。動作を実行する前に異なるファイルに対する異なる動作を見て確認することにより、すべての選択ファイルに適用しようとするすべての動作の概要がユーザに与えられ、したがって改良されたファイル管理が得られる。
【００１０】
本発明の上記およびその他の目的、特徴、および利点は、以下の詳細な説明で明らかになろう。
【００１１】
本発明の特徴と考えられる新規の特徴が頭記の特許請求の範囲に述べられる。ただし、本発明自体と、その好ましい使用形態、さらなる目的と利点は、添付図面と併せて以下の例示的実施形態の詳細な説明を参照することによって最もよく理解されよう。
【発明を実施するための最良の形態】
【００１２】
次いで図２を参照すると、本発明の好ましい実施形態を実施することが可能なデータ処理システムのブロック図を示す。データ処理システム２００は、例えば、ニューヨーク州アーモンクのインターナショナル・ビジネス・マシンズ・コーポレーションから入手可能なパーソナル・コンピュータまたはサーバ・コンピュータの１機種等である。データ処理システム２００は、システム・バス２０８に接続された中央演算処理装置（ＣＰＵ）２０２を含む。例示的実施形態では、データ処理システム２００は、ディスプレイ２０６にユーザ・インタフェース情報を提供する、これもシステム・バス２０８に接続されたグラフィクス・アダプタ２０４を含む。
【００１３】
システム・バス２０８には、システム・メモリ２１０および入出力（Ｉ／Ｏ）バス・ブリッジ２１２も接続される。Ｉ／Ｏバス・ブリッジ２１２は、Ｉ／Ｏバス２１４をシステム・バス２０８に結合し、１つのバスからもう一方のバスにデータ・トランザクションを中継または変換する、あるいはその両方を行う。例えばハード・ディスク・ドライブなどの不揮発性ストレージ２１６と、従来のマウス、トラックボールなどである入力装置２１８などの周辺装置がＩ／Ｏバス２１４に接続される。Ｉ／Ｏバス２１４には、ネットワーク（図示せず）に接続するためのネットワーク・アダプタ２２０も接続される。
【００１４】
図２に示す例示的実施形態は、本発明を説明する目的だけのために提供され、当業者は、形態と機能の両面で多数の変形が可能であることを認識されよう。例えば、データ処理システム２００は、コンパクト・ディスク読み取り専用メモリ（ＣＤ−ＲＯＭ）やデジタル・バーサトル・ディスク（ＤＶＤ）ドライブ、サウンド・カードおよびオーディオ・スピーカ、ならびに多数の他の任意選択の構成要素を含むこともできる。そのような変形形態はすべて本発明の主旨と範囲内にあると考えられる。
【００１５】
次いで図３を参照すると、本発明の好ましい特徴を取り込んだグラフィカル・ユーザ・インタフェース３００を示す。図３には、７つのファイル番号が、各ファイルが最後に修正された日付およびタイトル／説明とともに図示される。ユーザがファイル０８２９と２６７９を削除したいとする。この動作を行うために、ユーザは、まず「Ｃｏｎｔｒｏｌ」と「Ｆ１」など所定のキーの組を押下する。ユーザは、その２つのキーを同時に押しながら、次いでマウス（図示せず）または同様の入力装置を使用してカーソル・ポインタ３１０をファイル０８２９のフォーカス領域、次いで（図のように）２６７９のフォーカス領域に置き、そしてマウスを左クリックする。そのようにすると、図のような幾何学的パターンか、または好ましくは赤色などの色などの第１の識別可能な視覚的特徴３０２で、選択されたファイルの周辺のフォーカス領域が強調表示される。
【００１６】
次いで、ユーザは、「Ｃｏｎｔｒｏｌ」キーと「Ｆ２」キーを同時に押しながら、ファイル１２５９、３８２９、および４８７２を強調表示して、それらのファイルをコピーすべきことを指示し、緑色などの第２の識別可能な視覚的特徴３０４がそのファイル表示に適用される。最後に、ユーザは「Ｃｏｎｔｒｏｌ」キーと「Ｆ３」キーを同時に押しながらファイル６９８２を強調表示して、そのファイルの名前を変更すべきことを指示し、青色などの第３の識別可能な視覚的特徴３０６がそのファイル表示に適用される。ファイル２９３７が強調表示されておらず、したがってファイル２９３７には何も動作が行われないことに留意されたい。一実施形態では、ポップアップ・ウィンドウ３０８が表示されて、それぞれの色が意味する内容と、動作の選択方法についての画面上のガイドをユーザに与える。
【００１７】
この段階で、ユーザは、すべてのファイルを見て、選択された動作が正しいかどうか判断することができる。正しくない場合は、「Ｃｏｎｔｒｏｌ」キーと「Ｆ４」キーなどの１つまたは複数のキーを押下し、その動作を取り消すべきファイルをクリックすることにより、「キャンセル」機能を呼び出すことができる。望む場合は、上記のようにそのファイルに新しい動作を選択することができ、または、図のファイル２９３７のように、ファイルは適用されるファイル管理動作がないままにしてもよい。
【００１８】
好ましい実施形態では、３０２、３０４、３０６として図示する識別可能な視覚的特徴は、実際にはアクティブなアイコンであり、そのアイコンが表示されたアクティブな範囲を「クリック」することによって動作を選択する。アクティブ・アイコンの１つをクリックした後に選択されるファイルはすべて、そのファイルに適用される関連付けられた動作を有する。ファイルに動作を適用するプロセスは、「Ｅｎｔｅｒ」キーを作動して、選択されたすべての動作を実行させると終了する。このように、動作を選択するための入力は、キーボードのキー、ＧＵＩ上のアクティブなアイコンの選択、あるいはコンピュータ技術の当業者に知られる他の同様タイプの入力または入力装置とすることができる。
【００１９】
別の好ましい実施形態では、同一のファイルに複数の動作を適用することができる。例えば、ファイル１２５９をコピーし、次いで削除することができる。そのようにするには、ユーザは、ファイル１２５９のファイル表示周囲のフォーカス領域に戻り、「Ｃｏｎｔｒｏｌ」キーと「Ｆ１」キーを押しながらその領域をクリックする。動作の順序は、あらかじめ決定されている。この場合、ファイル１２５９は、言うまでもなく削除される前にコピーされる。ファイルに２つの動作を行おうとしていることを示すために、ファイル番号表示周囲の強調表示領域は、半分が赤色（削除）で半分が緑色（コピー）など、２つの動作についての両方の色の組み合わせを含む。
【００２０】
ユーザが各ファイルに正しい動作が選択されていると判断すると、「Ｅｎｔｅｒ」キーなどの別のキーを入力することによりそれらの動作を実行する。そして、強調表示の色で表されるすべての選択された動作が行われる。
【００２１】
次いで図４を参照すると、国際標準化機構（ＩＳＯ）によって公表され、参照により全体が本明細書に組み込まれるＯＳＩ７５９８とその各種補遺に記載されるオープン・システム相互接続（ＯＳＩ）モデル４００の７層を示す。
【００２２】
アプリケーション層７（４０２）は、アプリケーションとエンド・ユーザのプロセスをサポートする。この層は、ユーザ・アプリケーションを直接サポートするサービスを直接表し、ネットワーク・アクセス、フロー制御、エラー回復などを扱う。ファイル・コントロール４１６が常駐するのはこの層であることが好ましい。ファイル・コントロール４１６は、上記の強調表示とファイルへの動作の適用を指示するソフトウェア命令を含んでいる。
【００２３】
あるいは、ファイル・コントロール４１６は、プレゼンテーション層６（４０４）に常駐してもよく、この層は、プロトコル変換、文字変換、拡張されたグラフィック・コマンドを担当し、種々のシステムが複数のプロトコル・スタックからの通信を提供するための標準を設定する。ファイル・コントロール４１６をプレゼンテーション層６に置くことにより、本明細書に記載される動作が、特定のアプリケーションに結び付けられる可能性が低くなる。
【００２４】
次いで図５を参照すると、本発明の好ましい実施形態でとられるステップのフローチャートを示す。ステップ５０２で開始し、ユーザは、上記のように１つまたは複数のキーを押下することにより所望の第１の動作を選択する。ファイル表示周辺のフォーカス領域を左クリックすることによりファイルを選択する（ステップ５０４）。次いで判定を行って（ステップ５０６）、新しいファイル、または別の動作のためにすでに選択されているファイルに他の動作を適用するかどうかを決定する。適用する場合は、選択されたファイルに対するそれらの動作を選択する。すべてのファイルに選択動作が選択されると、ユーザは、自身の選択を確認し、次いで「Ｅｎｔｅｒ」キーを押すか、または何らかの他の所定の動作を行うことにより、それらの動作を実行する（ステップ５０８）。
【００２５】
次いで図６を参照すると、古いファイルまたは機密性のあるファイルあるいはその両方を管理する機能を含む本発明の好ましい実施形態を説明するフローチャートを示す。開始ブロック６００で開始し、コンピュータが起動され（ブロック６０２）、次いでファイルの存続期間と機密性のレベルが調べられる（ブロック６０４）。古いファイルがある場合（照会ブロック６０６）、すなわち、所定の期間経過前に編集または作成されたファイルがある場合は、その古いファイルが黄色などの指示色で強調表示される。色の指定は、あらかじめ定義された基準に従って自動的にし、あらかじめロードされたソフトウェアによって実行しても、または、特別に指定されたキーなどを押下しながらそのファイルをクリックすることにより、ユーザが色の指定を手動でファイルに適用してもよい。次いで、識別された古いファイルを調べて（照会ブロック６０８）、そのセキュリティ（機密性）のレベルを判定する。ファイルがコンピュータに無期限に残るべきでない「高セキュリティ」ファイルであると判定された場合は、そのファイルを削除する（ブロック６１２）。
【００２６】
当業者には知られるように、ファイルが「削除」される時、大半のプログラムは、一般には、削除されるファイルのＦＡＴのファイル・アロケーション・テーブル（ＦＡＴ）エントリを削除するだけであり、実際のファイルデータは物理的にディスクに残る。ディスクから完全にファイルを「拭い去る」ために、次いで、ファイルのディスク領域にオール「１」を書き込んだ後にオール「０」を書き込むなど、相反するビット・パターンによるディスク領域の複数回の上書きを使用して、そのファイルが記憶されているディスク・セクションを再フォーマット（ブロック６１４）する。次いで、ＦＡＴを更新して消去されたファイルを反映させ（ブロック６１６）、プロセスが終了する（終了６２２）。
【００２７】
照会ブロック６１０で古いファイルがセキュリティ上の危険性でないと判定された場合は、削除される（ブロック６２０）前にその古いファイルを自動アーカイブする（ブロック６１８）。アーカイブ記憶領域（図示せず）に自動的にファイルをアーカイブすることにより、後に、ファイルの削除に関してユーザの気が変わった場合に、削除されたファイルを回復することができる。このような自動アーカイブ・システムは、メモリの「ごみ箱」または「リサイクル・ビン」セクションから独立していることが好ましく、そのためファイルは自動アーカイブのファイル領域からは手動で削除しなければならない。
【００２８】
図６に示すプロセスの代替実施形態では、機密性のある高セキュリティのファイルをすべて示す表示ファイルの色分けでユーザに指示を与えることができる（ブロック６０４からブロック６１０に飛び、機密性のあるファイルを強調表示することにより）。ユーザは、それらの機密性のあるファイルを見ることにより、自分のコンピュータがセキュリティ上の危険性を呈するファイルを保持していることに気づかされ、そのコンピュータを投棄する前、慈善団体に寄付する前、またはコンピュータの元のユーザと同じセキュリティ上の取り扱い許可を持たない別の部署もしくはユーザに移動する前に、コンピュータのストレージからそのようなファイルを除去するように促される。
【００２９】
本発明は、実行されるアプリケーション、ユーザの母国語、またはオペレーティング・システムに依存しないことに留意されたい。すなわち、「Ｃｏｎｔｒｏｌ」と「Ｆ３」などのキーの組み合わせにより名前が変更されるようにファイルが設定されることを知っているため、ユーザは、「青色」に色分けされたファイルはいずれも、「Ｅｎｔｅｒ」キーを押下すると名前が変更されることが分かる。これは、特に、ユーザが外国語の文字すら分からない場合に有用である。例えば、ファイル０８２９が、キリル文字を使用したロシア語のタイトルを持つと仮定する。ユーザがそのファイルの内容を知っている場合、ユーザは、同じく理解できない外国語である可能性のあるドロップダウン・メニューを使用することを試みずに、自国語でそのファイルの名前を変更することができる。
【００３０】
好ましい実施形態では、１つ前のウィンドウ内のファイルの選択を保持しながら、異なる複数のウィンドウ内のファイルにフォーカスを適用することができる。すなわち、図３のＧＵＩ３００に示すファイルを強調表示した後に、ユーザが別のウィンドウ（図示せず）に行くとする。ユーザは、もう一方のウィンドウの選択されたファイルを強調表示し、次いで図３に示す最初のウィンドウに戻り、各ファイルに正しい動作が選択されたことを確かめるまで、アクティブなウィンドウと非アクティブなウィンドウを交互に切り替えて両方のウィンドウの強調表示されたファイルを見ることができる。正しい動作が選択されていることを確かめると、「Ｅｎｔｅｒ」キーを押すことにより、どのウィンドウがアクティブであるかに関係なく、すべてのファイルに対してすべての動作が実行される。
【００３１】
本発明の少なくとも一部の態様は、あるいはプログラム製品として実施できることが理解されよう。本発明についての機能を定義するプログラムは、これらに限定しないが、書き込み不能記憶媒体（ＣＤ−ＲＯＭなど）、書き込み可能記憶媒体（例えばフロッピー・ディスケット、ハード・ディスク・ドライブ、読み取り／書き込みＣＤ−ＲＯＭ、光学媒体）、およびイーサネットを含むコンピュータ・ネットワークと電話網などの通信媒体を含む各種の信号伝達媒体を介して、データ記憶システムまたはコンピュータ・システムに配布することができる。したがって、本発明の方法機能を指示するコンピュータ可読命令を担持または符号化する場合、そのような信号伝達媒体は、本発明の代替実施形態に相当することを理解されたい。さらに、本発明は、本明細書に記載されるように、ハードウェア、ソフトウェア、またはソフトウェアとハードウェアの組み合わせの形態である手段またはその均等物を有するシステムによって実施してよいことを理解されたい。
【００３２】
好ましい実施形態を参照して本発明を詳細に示し、説明したが、当業者には、本発明の主旨および範囲から逸脱することなく、形態および詳細には各種の変更を加えてよいことが理解されよう。
【図面の簡単な説明】
【００３３】
【図１】ファイルを選択し、選択したファイルに動作を適用するための従来技術のグラフィカル・ユーザ・インタフェース（ＧＵＩ）の図である。
【図２】本発明の特徴を取り入れたデータ処理システムの好ましい実施形態の図である。
【図３】複数のファイルに複数の動作が選択され、各動作は複数のファイルに適用することができる、本発明を使用した好ましいＧＵＩの図である。
【図４】ファイル・コントロール・ソフトウェアが本発明を実施するのに好ましいソフトウェア層の場所を示す図である。
【図５】図３に示すＧＵＩで表示された異なるファイルに動作を実施するために本発明で取られるプロセス・ステップの高レベル・フローチャートである。
【図６】存続期間およびセキュリティ・レベルに従ってファイルを色分けするためにとられるステップのフローチャートである。
【符号の説明】
【００３４】
１００  ＧＵＩ
１０２  フォーカス領域
１０４  ウィンドウ
１０６  ポインタ
２００  データ処理システム
２０２  ＣＰＵ
２０４  グラフィクス・アダプタ
２０６  ディスプレイ
２０８  システム・バス
２１０  システム・メモリ
２１２  Ｉ／Ｏバス・ブリッジ
２１４  Ｉ／Ｏバス
２１６  不揮発性ストレージ
２１８  入力装置
２２０  ネットワーク・アダプタ
３００  ＧＵＩ
３０２  視覚的特徴
３０４  視覚的特徴
３０６  視覚的特徴
３０８  ウィンドウ
３１０  ポインタ
【図１】
2005202966.tif 000003
【図２】
2005202966.tif 000004
【図３】
2005202966.tif 000005
【図４】
2005202966.tif 000006
【図５】
2005202966.tif 000007
【図６】
2005202966.tif 000008